(57)【要約】【課題】受信放送を記憶装置などの記憶するための情報処理装置及び映像受信装置に関し、処理装置で使用できないインタフェースを他のインタフェースを用いて処理装置で使用可能とした情報処理装置及び映像受信装置に関する。【解決手段】本発明は、情報処理装置であり、データ処理を行う処理装置と、処理装置と第１のインタフェースとの通信をコントロールする第１のインタフェースコントローラと、第２のインタフェースと第１のインタフェースとを相互に変換し、第１のインタフェースコントローラを介して第２のインタフェースと処理装置との通信を可能とするブリッジ回路とを有することを特徴とする。【選択図】図１
2007299146.tif 000002
【特許請求の範囲】
【請求項１】
情報処理装置であって、
データ処理を行う処理装置と、
前記処理装置と第１のインタフェースとの通信をコントロールする第１のインタフェースコントローラと、
第２のインタフェースと前記第１のインタフェースとを相互に変換し、前記第１のインタフェースコントローラを介して前記第２のインタフェースと前記処理装置との通信を可能とするブリッジ回路とを有することを特徴とする情報処理装置。
【請求項２】
前記処理装置は、メモリとの通信をコントロールするメモリコントローラと第２のインタフェースとの通信をコントロールする第２のインタフェースコントローラとが内蔵され、
前記メモリコントローラと前記第２のインタフェースコントローラとを切り換えて使用することを特徴とする請求項１記載の情報処理装置。
【請求項３】
前記第１のインタフェースは、ＵＳＢインタフェースであり、
前記第２のインタフェースは、ＩＤＥインタフェースであることを特徴とする請求項１又は２記載の情報処理装置。
【請求項４】
前記処理装置、及び、前記第１のインタフェースコントローラ、並びに、前記ブリッジ回路は、１枚のプリント配線板上に搭載されていることを特徴とする請求項１記載の情報処理装置。
【請求項５】
前記ブリッジ回路には、前記第２のインタフェースを通して記憶装置が接続されることを特徴とする請求項１記載の情報処理装置。
【請求項６】
通信メディアから映像データ及び音声データを受信する通信装置と、
前記通信装置で受信された映像データ及び音声データを処理する処理装置と、
前記処理装置で処理された映像データ及び音声データを出力する出力回路と、
前記処理装置と通信可能とされたメモリと、
前記処理装置と第１のインタフェースとの通信をコントロールする第１のインタフェースコントローラと、
第２のインタフェースと前記第１のインタフェースとを相互に変換し、前記第１のインタフェースコントローラを介して前記第２のインタフェースと前記処理装置との通信を可能とするブリッジ回路と、
前記第２のインタフェースを介して前記ブリッジ回路と通信可能とされ、前記通信装置で受信した前記映像データ及び前記音声データが前記処理装置を介して記憶される記憶装置とを有することを特徴とする映像受信装置。
【発明の詳細な説明】
【技術分野】
【０００１】
本発明は情報処理装置及び映像受信装置に係り、特に、受信放送を記憶装置などの記憶するための情報処理装置及び映像受信装置に関する。
【背景技術】
【０００２】
近年、ＩＰ放送、ケーブルテレビ放送、衛星放送、ディジタル放送等様々な通信メディアを介して映像、及び、音声が提供されている。これらの放送による映像、及び、音声を一括して受信し、記憶装置に記憶して、モニタなどで視聴できるようにした映像受信装置が開発されている。
【０００３】
このような、映像受信装置では、映像、音声をディジタルデータとして、ハードディスク装置などに記憶している。このため、ディジタルデータを処理できる情報処理装置が搭載されている。
【０００４】
図５は従来の一例のブロック構成図を示す。
【０００５】
情報処理装置１は、ＣＰＵ２１、メモリ２２、ＵＳＢコントローラ２３から構成されていた。ＣＰＵ２１、メモリ２２、ＵＳＢコントローラ２３は、外部ＵＳＢ機器との通信を行うために搭載されている。
【０００６】
このとき、ＣＰＵ２１には、メモリ２２及びハードディスク装置１１との通信を行うためにメモリ２２との通信制御を行うメモリコントローラ３１、及び、ハードディスク装置１１を接続するためのＩＤＥインタフェースとの通信制御を行うＩＤＥコントローラ３２が内蔵されていた。
【発明の開示】
【発明が解決しようとする課題】
【０００７】
しかるに、従来のこの種の情報処理装置は映像及び音声データを、ハードディスク装置に記憶すればよく、高度な処理機能は求められていない。しかしながら、機能が低いＣＰＵでは、内蔵されたメモリコントローラ３１とＩＤＥコントローラ３２とを切り換えて使用し、同時に使用できない場合が多い。
【０００８】
そこで、比較的低機能なＣＰＵを用いてメモリ及びハードディスク装置を同時に使用できる構成の情報処理装置が望まれている。
【０００９】
本発明は上記の点に鑑みてなされたもので、処理装置で使用できないインタフェースを他のインタフェースを用いて処理装置で使用可能とした情報処理装置及び映像受信装置を提供することを目的とする。
【課題を解決するための手段】
【００１０】
本発明は、情報処理装置であり、データ処理を行う処理装置と、処理装置と第１のインタフェースとの通信をコントロールする第１のインタフェースコントローラと、第２のインタフェースと第１のインタフェースとを相互に変換し、第１のインタフェースコントローラを介して第２のインタフェースと処理装置との通信を可能とするブリッジ回路とを有することを特徴とする。
【００１１】
また、処理装置は、メモリとの通信をコントロールするメモリコントローラと第２のインタフェースとの通信をコントロールする第２のインタフェースコントローラとが内蔵され、メモリコントローラと第２のインタフェースコントローラとを切り換えて使用することを特徴とする。なお、第１のインタフェースは、ＵＳＢインタフェースであり、第２のインタフェースは、ＩＤＥインタフェースであることを特徴とする。
【００１２】
さらに、処理装置、及び、第１のインタフェースコントローラ、並びに、ブリッジ回路は、１枚のプリント配線板上に搭載されていることを特徴とする。ブリッジ回路には、第２のインタフェースを通して記憶装置が接続されることを特徴とする。
【００１３】
また、本発明は、映像データ及び音声データを受信する通信装置と、通信装置で受信された映像データ及び音声データを処理する処理装置と、処理装置で処理された映像データ及び音声データを出力する出力回路と、処理装置と通信可能とされたメモリと、処理装置と第１のインタフェースとの通信をコントロールする第１のインタフェースコントローラと、第２のインタフェースを第１のインタフェースに変換し、第１のインタフェースコントローラを介して処理装置との通信を可能とするブリッジ回路と、第２のインタフェースを介してブリッジ回路と通信可能とされ、通信装置で受信した映像データ及び音声データが処理装置を介して記憶される記憶装置とを有することを特徴とする。
【００１４】
なお、上記参照符号はあくまでも参考であり、これによって特許請求の範囲の記載が限定されるものではない。
【発明の効果】
【００１５】
本発明によれば、データ処理を行う処理装置と、処理装置と第１のインタフェースとの通信をコントロールする第１のインタフェースコントローラと、第２のインタフェースを第１のインタフェースに変換し、第１のインタフェースコントローラを介して処理装置との通信を可能とするブリッジ回路とを設けることにより、処理装置に第２のインタフェースがない、あるいは、使用できない場合であっても、第２のインタフェースにより処理装置と通信を行うことが可能となる。また、第１のインタフェースコントローラを設けることにより、第１のインタフェースを介して外部機器に接続可能となる。
【発明を実施するための最良の形態】
【００１６】
〔システム構成〕
図１は本発明の一実施例のシステム構成図を示す。
【００１７】
本実施例の映像受信装置１００は、ＬＡＮコネクタＰ１にネットワーク１０１、同軸コネクタＰ２にアンテナ１０２などが接続され、出力コネクタＰ３にモニタ１０３が接続された構成とされている。
【００１８】
映像受信装置１００は、リモートコントローラ１０４の操作に基づいてネットワーク１０１を介して映像コンテンツサーバ１０５から、または、アンテナ１０２によって受信された放送波から得られる映像、及び、音声を内蔵された記憶装置に記憶し、記憶装置に記憶された映像、及び、音声を必要に応じて読み出しモニタ１０３に表示可能とする。また、パーソナルコンピュータ１０６からネットワーク１０１を介して要求された映像及び音声を、ネットワーク１０１を介してパーソナルコンピュータ１０６に提供し、視聴可能とする。また、映像受信装置１００は、ＵＳＢコネクタＰ４を介してＵＳＢ機器１０７と通信可能な構成とされている。
【００１９】
〔映像受信装置１００〕
図２は映像受信装置１００のブロック構成図、図３は映像受信装置１００の分解斜視図を示す。
【００２０】
本実施例の映像受信装置１００は、ＬＡＮコントローラ１１１、チューナ１１２、処理装置１１３、画像処理装置１１４、メモリ１１５、ＵＳＢコントローラ１１６、ブリッジ回路１１７、記憶装置１１８を含む構成とされている。なお、ＬＡＮコントローラ１１１，チューナ１１２、処理装置１１３、画像処理装置１１４、メモリ１１５、ＵＳＢコントローラ１１６、ブリッジ回路１１７は、一枚のプリント配線板１２０上に搭載されている。
【００２１】
ＬＡＮコントローラ１１１には、ＬＡＮコネクタＰ１が接続されている。ＬＡＮコネクタＰ１には、ＬＡＮケーブルなどが接続される。ＬＡＮコントローラ１１１は、処理装置１１３からの指示に基づいて映像コンテンツサーバ１０５にアクセスして、映像コンテンツサーバ１０５からＩＰ放送などの映像コンテンツの映像データ及び音声データを読み出し、処理装置１１３に供給する。
【００２２】
チューナ１１２には、同軸コネクタＰ２が接続されている。同軸コネクタＰ２には、同軸ケーブルを介してケーブルテレビ、衛星放送、ディジタル放送、アナログ放送などの放送信号が供給される。チューナ１１２は、受信した信号から所望のチャンネルの映像データ及び音声データを抽出し、画像処理装置１１４に供給する。画像処理装置１１４は、チューナ１１２から供給される信号に対して画像処理を実施して、画像処理により得られた映像データ及び音声データを処理装置１１３に供給する。
【００２３】
また、画像処理装置１１４は、処理装置１１３により記憶装置１１８から読み出された映像データ及び音声データに対して画像処理を実施して、出力端子Ｐ３から出力する。出力端子Ｐ３は、モニタなどに接続される。
【００２４】
処理装置１１３は、例えば、１チップのマイクロコンピュータから構成されており、メモリ１１５、あるいは、に予めインストールされたプログラムに基づいてデータ処理を実行する。処理装置１１３には、メモリコントローラ１３１、及び、ＩＤＥコントローラ１３２が内蔵されている。
【００２５】
メモリコントローラ１３１は、メモリ１１５との通信をコントロールする。メモリ１１５は、ＲＡＭ、ＲＯＭなどから構成されており、処理時の作業用記憶領域として使用されるとともに、基本プログラム、設定値などが予めインストールされている。処理装置１１３は、メモリコントローラ１３１を用いてメモリ１１５にアクセスして、データ処理を実行する。
【００２６】
また、ＩＤＥコントローラ１３２は、ＩＤＥインタフェースに接続された機器との通信を制御する。このとき、本実施例の処理装置１１３は、メモリコントローラ１３１とＩＤＥコントローラ１３２とを切り換えて使用する構成とされており、メモリ１１５とＩＤＥインタフェースに接続された機器との通信を同時に行うことができなかった。
【００２７】
このため、本実施例では、処理装置１１３のメモリコントローラ１３１を使用し、メモリ１１５と処理装置１１３とを直接的に通信可能としている。このため、処理装置１１３にＩＤＥインタフェースを用いた機器、例えば、ハードディスク装置などの記憶装置１１８を直接的に接続することができない。
【００２８】
また、処理装置１１３には、ＵＳＢコントローラ１１６が接続されている。ＵＳＢコントローラ１１６は、１チップのＩＣから構成されており、ＵＳＢコネクタＰ４に接続されるとともに、ブリッジ回路１１７に接続され、ＵＳＢコネクタＰ４に接続された機器、及び、ブリッジ回路１１７とＵＳＢ規格に基づいた通信制御を行う。
【００２９】
ブリッジ回路１１７は、１チップのＩＣから構成されており、ＩＤＥインタフェースとＵＳＢインタフェースとを相互に変換する処理を行っている。ブリッジ回路１１７のＵＳＢインタフェース側はＵＳＢコントローラ１１６に接続され、ＩＤＥインタフェース側にはＩＤＥコネクタＰ５に接続されている。ＩＤＥコネクタＰ５には、記憶装置１１８が接続される。
【００３０】
記憶装置１１８は、例えば、ハードディスク装置から構成されており、ＩＤＥインタフェースにより通信が可能な構成とされている。記憶装置１１８には、処理装置１１３によって、通信回路１１１及びチューナ１１２で受信された放送の映像、及び、音声データが記憶される。記憶装置１１８に記憶された映像及び音声データは、処理装置１１３からの指示によって読み出される。
【００３１】
〔動作〕
図４は処理装置１１３の処理フローチャートを示す。
【００３２】
処理装置１１３は、ステップＳ１−１で、例えば、リモートコントローラ１０４などの指示により所望の放送コンテンツが選択され、録画指示されると、ステップＳ１−２で通信回路１１１及びチューナ１１２を制御して、選択された放送コンテンツの映像及び音声データを取得する。
【００３３】
処理装置１１３は、ステップＳ１−３で取得した映像及び音声データをＵＳＢコントローラ１１６、及び、ブリッジ回路１１７を介して記録装置１１８に記録する。
【００３４】
処理装置１１３は、ステップＳ１−４で、例えば、リモートコントローラ１０４などの指示、あるいは、設定されたタイマなどによって録画の停止指示があると、ステップＳ１−５で記録装置１１８への映像及び音声データの記録を停止する。
【００３５】
また、処理装置１１３は、ステップＳ１−６でリモートコントローラ１０４などの指示により記録装置１１８に記録された所望の放送コンテンツの映像及び音声データが指定されると、ステップＳ１−７でＵＳＢコントローラ１１６、ブリッジ回路１１７を介して記録装置１１８を制御して、指定された映像及び音声データを読み出し、ステップＳ１−８で読み出された映像及び音声データを画像処理装置１１４からモニタ１０３に供給する。モニタ１０３には、画像処理装置１１４から供給された映像データに応じた映像が表示される。
【００３６】
処理装置１１３は、ステップＳ１−９で、例えば、リモートコントローラ１０４などの指示によって再生停止指示があると、ステップＳ１−１０で記録装置１１８から映像及び音声データの読み出しを停止する。
【００３７】
〔効果〕
本実施例によれば、データ処理を行う処理装置１１３と、処理装置１１３とＵＳＢインタフェースとの通信をコントロールするＵＳＢコントローラ１１６と、ＩＤＥインタフェースとＵＳＢインタフェースとを相互に変換し、ＵＳＢコントローラ１１６を介して処理装置１１３との通信を可能とするブリッジ回路１１７とを設けることにより、処理装置１１３のＩＤＥインタフェースが使用できない場合であっても、ＩＤＥインタフェースにより処理装置１１３と通信を行うことが可能となる。また、ＵＳＢコントローラ１１６を設けることによりＵＳＢインタフェースを介して外部ＵＳＢ機器と通信を行うことができる。このとき、ＵＳＢコントローラ１１６によって映像受信装置１００を周辺機器としてではなく、ホストコンピュータとして動作させることができる。
【００３８】
なお、本実施例では、映像受信装置１００にチューナ１１２を内蔵する構造としているが、チューナを外部機器として、外部機器から映像信号及び音声信号を取得するようにしてもよい。
【００３９】
なお、本発明は上記実施例に限定されるものではなく、本発明の要旨を逸脱しない範囲で種々の変形例が考えられることは言うまでもない。
【図面の簡単な説明】
【００４０】
【図１】本発明の一実施例のシステム構成図である。
【図２】映像受信装置１００のブロック構成図である。
【図３】映像受信装置１００の斜視図である。
【図４】処理装置１１３の処理フローチャートである。
【図５】従来の一例の構成図である。
【符号の説明】
【００４１】
１００  映像受信装置
１０１  ネットワーク、１０２  アンテナ、１０３  モニタ
１０４  リモートコントローラ
１１１  ＬＡＮコントローラ、１１２  チューナ、１１３  処理装置
１１４  画像処理回路
１１５  メモリ、１１６  ＵＳＢコントローラ、１１７  ブリッジ回路、
１１８  記憶装置
１２０  プリント配線板
１３１  メモリコントローラ、１３２  ＩＤＥコントローラ
【図１】
2007299146.tif 000003
【図２】
2007299146.tif 000004
【図３】
2007299146.tif 000005
【図４】
2007299146.tif 000006
【図５】
2007299146.tif 000007